(57)【要約】【課題】  特に高さ調整について、あるいは、高さ調整を含み併せて水平方向等の固定位置調整について、容易にかつ確実に行い得るパネル固定装置を提供する。【解決手段】  屋根に固定されて屋根の縦方向に延びるベース固定部材２の開口溝２２に対し、中間部材３を縦方向Ｘにスライド可能に取付ボルト３５で固定する。中間部材３の相対向配置の一対の凹凸嵌合部３３，３３に対し、横方向Ｙに対し延び縦方向Ｘ両側に突出する凸凹嵌合部４４，４４をスライド可能に内嵌させ、所望位置で取付ボルト３６で固定する。凸凹嵌合部４４，４４の嵌合凸部４４１の嵌合位置を凹凸嵌合部３３，３３の下段に下げることで、高さ方向Ｚの位置が変更調整可能となる。【選択図】      図１
2013136892.tif 000002
【特許請求の範囲】
【請求項１】
機能性パネルを屋根上に固定するためのパネル固定装置であって、
前記屋根の上面に固定される固定部材と、この固定部材の上側位置において前記機能性パネルを取付るためのパネル取付部材とを備え、
前記パネル取付部材と固定部材との内のいずれか一方には高さ方向に複数段に並ぶ凹凸嵌合部が形成され、他方には前記凹凸嵌合部に嵌合する少なくとも１段の凸嵌合部が形成されており、
前記パネル取付部材は、前記固定部材に対し、前記凹凸嵌合部と凸嵌合部との互いの凹凸嵌合の段位置を変更することで、高さ方向位置を変更調整可能に支持されている、
ことを特徴とするパネル固定装置。
【請求項２】
請求項１に記載のパネル固定装置であって、
前記パネル取付部材は、前記屋根に設置された状態で水平方向に所定長さを有する一方、前記固定部材に対し、前記凹凸嵌合部と凸嵌合部との互いの凹凸嵌合によって、前記水平方向にスライド移動可能に支持されている、パネル固定装置。
【請求項３】
請求項１又は請求項２に記載のパネル固定装置であって、
前記固定部材は、前記屋根に固定されるベース固定部材と、前記ベース固定部材に対し前記パネル取付部材を連結させる中間部材とにより構成され、
前記中間部材は、この中間部材に対し前記凹凸嵌合部と凸嵌合部との内のいずれか一方が形成されて前記パネル取付部材と互いに凹凸嵌合される一方、前記ベース固定部材に対し前記屋根の最大勾配線方向にスライド移動可能に取り付けられている、パネル固定装置。
【発明の詳細な説明】
【技術分野】
【０００１】
本発明は、パネル固定装置に関し、特にパネルの固定対象の表面に存在する不陸に対処するためにパネルの固定位置毎の状況に応じて横方向や高さ方向の位置調整を可能としつつ、それらの調整作業を容易にかつ確実に行い得る技術に係る。
【背景技術】
【０００２】
従来、屋根上に太陽電池パネルを固定するための固定装置において、例えば屋根表面の不陸等による影響を排除して複数枚の太陽電池パネルを互いに同一平面状態に固定するために、高さ調整機構を備えたものが種々提案されている。例えば特許文献１では、不陸の程度に応じた枚数の調整用プレートを間に介装させたり、介装させる面を変更することで高さ調整代を変更し得る特殊形状プレートを間に介装させたり、することが提案されている。又、特許文献２では、一対の支持金具の一方に横長の長孔を形成し、他方に縦長の長孔を形成し、両長孔を貫通させたボルトにより一対の支持金具を互いに固定することで、高さ調整を可能とすることが提案されている。さらに、特許文献３では、架台から上向きにボルトを延ばし、このボルトの先端側に嵌めた一対のナット間に太陽電池パネルを浮いた状態に固定することで、その太陽電池パネルの高さを変更調整し得るようにすることが提案されている。
【先行技術文献】
【特許文献】
【０００３】
【特許文献１】特開２００４−２３２２２０号公報
【特許文献２】特許２００５−２９０７５５号公報
【特許文献３】特許２０１０−２４２３６７号公報
【発明の概要】
【発明が解決しようとする課題】
【０００４】
しかしながら、従来のパネル固定装置においては、それらの高さ調整機構の構造上、高さ調整を行いながらパネルの設置作業を行うには手間がかかるため、より容易な作業で、しかも確実に高さ調整を行い得るパネル固定装置の開発が要請されている。特に太陽電池パネルや、太陽熱温水器の集熱パネル等のパネルの設置工事は、足場等を組まずに不安定な屋根上で作業が行われるケースが殆どであり、前記開発の要求度合は高いものと考えられる。
【０００５】
さらに、屋根上に設置する場合には、屋根を構成する屋根材や野地板の下の垂木に対し固定金具が固定されることになる。その一方、この垂木の水平方向間隔と、設置対象である前記パネルの横幅寸法とは関係ないため、一般に、垂木に固定した固定金具に対しパネルの横幅寸法に対応した長さを有する長尺物のラックを水平方向に架け渡すことが行われている。そして、この水平ラックに対しパネルを所望の水平方向位置で固定することで、垂木の設置間隔とはかかわりなく、水平方向の固定を行うようにすることが行われている。かかるラックの存在を無くして、いわゆるラックレスにするには、パネルの固定位置を固定金具に対し水平方向に変更調整し得るようにする必要があるが、これを実現するには構造の複雑化を招くおそれがある。
【０００６】
本発明は、このような事情に鑑みてなされたものであり、その目的とするところは、特に高さ調整について、あるいは、高さ調整を含み併せて水平方向等の固定位置調整について、容易にかつ確実に行い得るパネル固定装置を提供することにある。
【課題を解決するための手段】
【０００７】
前記目的を達成するために、本発明では、機能性パネルを屋根上に固定するためのパネル固定装置を対象にして、次の特定事項を備えることとした。すなわち、前記屋根の上面に固定される固定部材と、この固定部材の上側位置において前記機能性パネルを取付るためのパネル取付部材とを備えることとする。そして、前記パネル取付部材と固定部材との内のいずれか一方には高さ方向に複数段に並ぶ凹凸嵌合部を形成し、他方には前記凹凸嵌合部と互いに嵌合する少なくとも１段の凸嵌合部を形成する。前記パネル取付部材を、前記固定部材に対し、前記凹凸嵌合部と凸嵌合部との互いの凹凸嵌合の段位置を変更することで、高さ方向位置が変更調整可能に支持されているようにした（請求項１）。
【０００８】
本発明の場合、屋根に不陸が生じていても、パネル取付部材を固定に対し高さ方向位置の変更調整が可能であるため、屋根の水平方向に複数個の機能性パネルを並べて設置するときでも、それらの機能性パネルを同一水平面上に矯正して同一平面上に並ぶように設置することが可能となる。しかも、その高さ方向位置の変更調整は、固定部材に対し凹凸嵌合の段位置を変更するだけで済むため、容易な作業で確実に高さ方向位置の変更調整が可能となる。このため、不安定な屋根の上での作業であっても、複数枚の機能性パネルを確実に所定の仕様通りの状態に設置することが可能となる。
【０００９】
又、本発明のパネル固定装置におけるパネル取付部材として、屋根に設置された状態で水平方向に所定長さを有する一方、前記固定部材に対し、前記凹凸嵌合部と凸嵌合部との互いの凹凸嵌合によって、前記水平方向にスライド移動可能に支持させるようにすることができる（請求項２）。このようにすることにより、屋根に設置する場合の特有な問題である固定対象の垂木の水平方向間隔と、設置した状態の機能性パネルの水平方向寸法との相違に対しても、パネル取付部材を固定部材に対し水平方向にスライド移動させるだけで、容易に吸収して適用させることが可能となる。
【００１０】
さらに、本発明のパネル固定装置における固定部材として、屋根に固定されるベース固定部材と、このベース固定部材に対し前記パネル取付部材を連結させる中間部材とにより構成し、中間部材として、この中間部材に対し前記凹凸嵌合部と凸嵌合部との内のいずれか一方を形成して前記パネル取付部材と互いに凹凸嵌合させる一方、前記ベース固定部材に対し前記屋根の最大勾配線方向にスライド移動可能に取り付けるようにすることができる（請求項３）。このようにすることにより、屋根の最大勾配線方向に対し複数枚の機能性パネルを設置する場合であっても、それらの最大勾配線方向の設置間隔に応じてスライド移動調整することが可能となり、パネル固定装置の適用範囲が広がることになる。
【発明の効果】
【００１１】
以上、説明したように、本発明のパネル固定装置によれば、屋根に不陸が生じていても、パネル取付部材を固定に対し高さ方向位置の変更調整が可能であるため、屋根の水平方向に複数個の機能性パネルを並べて設置するときでも、それらの機能性パネルを同一水平面上に矯正して同一平面上に並ぶように設置することができる。しかも、その高さ方向位置の変更調整が、固定部材に対し凹凸嵌合の段位置を変更するだけで済むため、容易な作業で確実に高さ方向位置を変更調整することができる。このため、不安定な屋根の上での作業であっても、複数枚の機能性パネルを確実に所定の仕様通りの状態に設置することができる。
【００１２】
特に、請求項２によれば、パネル取付部材として、屋根に設置された状態で水平方向に所定長さを有する一方、前記固定部材に対し、前記凹凸嵌合部と凸嵌合部との互いの凹凸嵌合によって、前記水平方向にスライド移動可能に支持させるようにすることで、屋根に設置する場合の特有な問題である固定対象の垂木の水平方向間隔と、設置した状態の機能性パネルの水平方向寸法との相違に対しても、パネル取付部材を固定部材に対し水平方向にスライド移動させるだけで、容易に吸収して適用させることができる。
【００１３】
さらに、請求項３によれば、固定部材として、屋根に固定されるベース固定部材と、このベース固定部材に対し前記パネル取付部材を連結させる中間部材とにより構成し、中間部材として、この中間部材に対し前記凹凸嵌合部と凸嵌合部とのいずれか一方を形成して前記パネル取付部材と互いに凹凸嵌合させる一方、前記ベース固定部材に対し前記屋根の最大勾配線方向にスライド移動可能に取り付けるようにすることで、屋根の最大勾配線方向に対し複数枚の機能性パネルを設置する場合であっても、それらの最大勾配線方向の設置間隔に応じてスライド移動調整することができ、パネル固定装置の適用範囲を広げることができる。
【図面の簡単な説明】
【００１４】
【図１】本発明の実施形態に係るパネル固定装置を一部断面状態にして示す斜視図である。
【図２】図１のパネル固定装置の分解斜視図である。
【図３】図３（ａ）は図１の部分断面状態のものと同じ断面で切った状態の部部拡大説明図であり、図３（ｂ）は図３（ａ）の状態からパネル取付部材の高さ位置を変更し状態の図３（ａ）対応図である。
【図４】屋根上にパネルを設置する手順を示すものであり、パネル固定装置を設置した状況を斜視図状態で示す説明図である。
【図５】図４のものにパネルを固定した状態を示す図４対応図である。
【図６】図５のＡ−Ａ線からみた部分拡大矢視図である。
【図７】他の形態として長尺サイズのパネル取付部材を用いた場合の図４対応図である。
【図８】図８（ａ）は他の形態を示す図３（ａ）対応図であり、図８（ｂ）は図８（ａ）とは異なる他の形態を示す図３（ａ）対応図である。
【発明を実施するための形態】
【００１５】
以下、本発明の実施形態を図面に基づいて説明する。
【００１６】
図１は本発明の実施形態に係るパネル固定装置１の斜視図であり、図２はその分解斜視図である。このパネル固定装置１は、固定対象（例えば屋根）に対し縦方向（例えば屋根の最大勾配線方向）Ｘに延びるように固定されるベース固定部材２と、このベース固定部材２に対し縦方向Ｘに対し固定位置を変更可能に取り付けられる中間部材３と、この中間部材３に対し横方向（例えば屋根の水平方向）Ｙに対し固定位置を変更可能に取り付けられパネルを取り付けるパネル取付部材４とを備えて構成されたものである。そして、特にパネル取付部材４は、中間部材３に対し高さ方向（例えば屋根上の上下方向，正確には中間部材３に対し垂直方向）Ｚに対する相対位置を変更可能に支持されている。ベース固定部材２，中間部材３及びパネル取付部材４は、いずれも耐候性を有する合成樹脂や、あるいは、例えばアルミニウム鋼等の金属を用いた押出成形により形成されている。なお、本実施形態のパネル固定装置１は太陽電池パネル（太陽電池モジュール）を固定対象の機能性パネルとして説明するが、これら以外の機能性パネル、例えば太陽熱温水器の集熱パネル等の固定にも適用可能である。
【００１７】
ベース固定部材２は、両端が開口され中空箱形状の断面形状が縦方向Ｘ全長に連続する本体２１により構成され、本体２１の上面が縦方向Ｘに延びる開口溝２２により上方に開放されている。本体２１の両側壁２１１，２１１の内側面には、相対向する方向に突出する棚状リブ２３，２３が縦方向Ｘの全長にわたり形成されている。この棚状リブ２３，２３と、開口溝２２の溝縁部を構成する上面リブ２４，２４との間の隙間２５に対し中間部材３の底部嵌合プレート部３１が縦方向Ｘに対しスライド可能に内嵌されている。このベース固定部材２は、本体２１の底壁２１２を貫通するネジ２６，２６によって前記の固定対象に対し固定されるようになっている。かかるベース固定部材２の縦方向Ｘの長さは、中間部材３の底部嵌合プレート部３１を内嵌可能で、かつ、固定対象である太陽電池パネルを縦方向Ｘに対し複数枚設置する場合等の互いの隙間間隔に相当する寸法程度の範囲にわたり前記中間部材３が縦方向Ｘにスライド移動可能に設定されていればよい。
【００１８】
中間部材３は、前記隙間２５，２５に対しスライド可能に内嵌し得る厚み及び横方向Ｙの幅を有する底部嵌合プレート部３１と、底部嵌合プレート部３１の上面において縦方向Ｘ方向に所定間隔離れた両側位置から高さ方向Ｚに立ち上がるように固定された一対の受け部３２，３２とを備えて構成されている。一対の受け部３２，３２は、それぞれの相対向面に櫛歯状の凹凸嵌合部３３が形成されたものである。各凹凸嵌合部３３は、縦方向Ｘに対し相対向するように突出し、かつ、横方向Ｙに対し全長にわたり同一断面形状を有して延びている。図例の凹凸嵌合部３３は高さ方向Ｚに対し２段の嵌合溝あるいは凸嵌合部を有するように形成されている。アルミニウム鋼を用いた押出成形により受け部３２を形成する場合には、押出成形品を所定長さ（前記の開口溝２２の溝幅に対応する寸法）毎に切断して底部嵌合プレート部３１に固定するようにすればよい。
【００１９】
中間部材３のベース固定部材２に対する取付は次のようにして行う。すなわち、前記のベース固定部材２の一端開口から底部嵌合プレート部３１を装入し、所定位置までスライド移動させた上で、別途用意した取付プレート３４と取付ボルト３５とで固定する。例えば取付プレート３４を貫通させた取付ボルト３５を底部嵌合プレート部３１のネジ孔３１１（図２参照）にねじ込んで、上面リブ２４，２４を底部嵌合プレート部３１と取付プレート３４との間に挟み付けるように締結する。なお、ボルト・ナットの組み合わせにより取付を行うようにしてもよい。又、受け部３２の背面から凹凸嵌合部３３側に貫通する取付ボルト３６を備えており、この取付ボルト３６によってパネル取付部材４を相対移動しないように固定するようになっている。
【００２０】
パネル取付部材４は、同一断面形状のものが横方向Ｙに所定長さ全長にわたり連続するように形成され、中間部材３に対し横方向Ｙにスライド可能に支持されるものである。具体的には、パネル取付部材４は、上面に開口する取付ボルト４１の保持溝４２と、この保持溝４２を挟んで縦方向Ｘの両側上面に後述の太陽電池パネルが載置される平面状の架台部４３，４３と、両側面にそれぞれ形成された凸凹嵌合部４４とを備えて構成されている。保持溝４２は、両端に開放され、上面において取付ボルト４１のボルト部のみが横方向Ｙにスライド可能な幅に開口し、内側位置において取付ボルト４１のボルト頭部が横方向Ｙにスライド可能な内幅を有するように形成されている。これにより、横方向Ｙに対し所望の位置まで取付ボルト４１をスライド移動させて、その所望位置で後述の太陽電池パネルを固定し得るようになっている。又、両側の凸凹嵌合部４４，４４は、縦方向Ｘに対し両側方に突出され、かつ、横方向Ｙに対し全長にわたり同一断面形状を有して延びている。図例の凸凹嵌合部４４は高さ方向Ｚに対し２段の嵌合凸部４４１，４４１を有するように形成され、両側の凸凹嵌合部４４，４４は前記中間部材３の一対の凹凸嵌合部３３，３３間に内嵌し、内嵌されることによってパネル取付部材４が中間部材３により横方向Ｙに対しスライド可能に支持されるとともに、後に詳細に説明するように嵌合位置を変更することで高さ方向Ｚに対し高さ位置を変更可能に支持されるようになっている。前記の凸凹嵌合部４４は、嵌合凸部４４１によって少なくとも１段の凸嵌合部が構成されるとともに、嵌合凸部４４１，４４１及び架台４３の間の嵌合溝によって複数段の凹凸嵌合部が構成されているともいえるものである。
【００２１】
例えば図３（ａ）に示すように、パネル取付部材４の凸凹嵌合部４４の最下段の嵌合凸部４４１が、中間部材３の凹凸嵌合部３３，３３の最上段の嵌合溝に内嵌した状態では、パネル取付部材４、つまり取付対象である太陽電池パネルは、ベース固定部材２、つまり固定対象である屋根に対し、高さ方向Ｚに最も離れた最大高さ位置に設定されることになる。これに対し、例えば図３（ｂ）に示すように、パネル取付部材４の凸凹嵌合部４４の２段の嵌合凸部４４１，４４１が、中間部材３の凹凸嵌合部３３，３３の上から２段の嵌合溝にそれぞれ内嵌した状態、つまり、前記の最下段の嵌合凸部４４１が凹凸嵌合部３３，３３の上から２段目の嵌合溝に内嵌した状態では、パネル取付部材４（太陽電池パネル）はベース固定部材２（屋根）に対し、高さ方向Ｚに最も近づいた最小高さ位置に設定されることになる。このようにして太陽電池パネルを屋根に対し高さ方向Ｚに高さ調整し得るようになっている。
【００２２】
次に、以上のパネル固定装置１を用いて固定対象である屋根の上面に対し取付対象である太陽電池パネルを取り付ける手順について、図４及び図５を参照しつつ説明する。この例では、屋根５の片面に対し縦方向Ｘに２枚，横方向Ｙに２枚の計４枚の太陽電池パネル６，６，…（図５にのみ示す）を設置する場合について説明する。まず、図４に示すように、住宅の屋根５上から屋根内部に縦方向Ｘに延びる垂木５１，５１，…の位置を探索して割り出す。この垂木５１，５１，…に沿って太陽電池パネル６の縦寸法Ｘｓ（図５参照）に対応する縦方向Ｘの間隔毎にパネル固定装置１を固定していく。図例ではパネル固定装置１を１箇所の垂木５１に対し３箇所に固定していく。この固定は、屋根５と、ベース固定部材２の底壁２１２との間にシール材（例えばブチルゴムシート）を挟み込んだ状態で、ネジ２６，２６を垂木５１にねじ込むことで行う。
【００２３】
この際、パネル固定装置１の固定作業の際に、次の如くパネル取付部材４の横方向Ｙの位置調整と、高さ位置調整とを実施する。パネル取付部材４の横方向Ｙの位置調整は、垂木５１，５１，…の横方向Ｙの間隔Ｒと、太陽電池パネル６の横寸法Ｙｓ（図５参照）とが互いに異なるため必要となるものであり、設置する太陽電池パネル６の取付位置（例えば太陽電池パネル６の横方向Ｙの両側端部）に応じて、パネル取付部材４の横方向Ｙの位置調整を行う。なお、パネル取付部材４において、太陽電池パネル６の取付位置に応じて取付ボルト４１を保持溝４２内を横方向Ｙにスライド位置調整可能であるため、パネル取付部材４の横方向Ｙへの位置調整は、取付ボルト４１のスライド位置調整では吸収できない部分について行えばよいのである。図例のものでは、最も左側の垂木５１に固定したパネル固定装置１，１，１について、それぞれパネル取付部材４を左方に所定量スライド移動させている。このスライド移動は取付ボルト３６を緩めてパネル取付部材４をスライド移動させ、所定位置で取付ボルト３６を締め付けることでパネル取付部材４を中間部材３に対し固定することができる。
【００２４】
又、パネル取付部材４の高さ位置調整は、屋根５の不陸を吸収して太陽電池パネル６，６，…を互いに同一平面状態に設置するために必要となるものである。パネル取付部材４の高さ位置調整は次のようにして行う。すなわち、図例では横方向Ｙに３つ並んだパネル固定装置１，１，１のそれぞれのパネル取付部材４の架台４３上面を結んで例えば水糸を架け渡し、この水糸の状態が水平状態にあるか否かを水準器等を用いてチェックする。水平状態でなければ、水平状態になるようにパネル取付部材４の高さ位置を変更調整する。例えば、取付ボルト３６を緩めてパネル取付部材４を中間部材３から横方向Ｙに引き抜き、嵌合凸部４４１の内嵌先を上か下かに変更した上で、中間部材３の一対の凹凸嵌合部３３，３３に対し再度内嵌させればよい。以上で、屋根５に設置されたパネル固定装置１，１，…の全ての架台４３は同一の仮想平面上に高さ調整される。
【００２５】
次に、太陽電池パネル６を、順に各パネル固定装置１のパネル取付部材４に対し固定していき、図５に示すように４枚の太陽電池パネル６，６，…を設置する。各太陽電池パネル６とパネル取付部材４との固定は次のようにして行う。例えば、図６に示すように、太陽電池パネル６は太陽電池モジュール６１と、その周囲に嵌め込まれたブラケット６２とからなり、ブラケット６２をパネル取付部材４の架台４３の上に載置し、取付プレート４５を取付ボルト４１とナット４６とで締め付けることで、ブラケット６２の縁部を架台４３と取付プレート４５との間に挟み付けて固定するようになっている。
【００２６】
以上のパネル固定装置１の場合、固定対象の屋根５に不陸が生じていても、パネル取付部材４を中間部材３に対し高さ方向Ｚの位置調整が可能であるため、横方向Ｙに複数個のパネル固定装置１，１，…が並んでいても、それらの架台４３，４３，…を同一水平面上に矯正して複数の太陽電池パネル６を同一平面上に並ぶように設置することができる。しかも、その高さ方向Ｚの位置調整は、中間部材３に対するパネル取付部材４の差し込み位置を上にするか下にするかだけであるため、容易な作業で行うことができ、容易な作業で確実に高さ位置の変更を行うことができる。このため、不安定な屋根５の上での作業であっても、太陽電池パネル６，６，…を確実に所定の仕様通りの状態に設置することができる。さらに、屋根５に設置する場合の特有な問題である垂木５１，５１の間隔と太陽電池パネル６の横寸法との相違に対しても、取付ボルト４１を保持溝４２に沿って横方向Ｙにスライド移動可能であるだけでなく、パネル取付部材４を中間部材３に対し横方向Ｙにスライド移動可能であるため、容易に吸収して適用させることができる上に、大きな相違でもそれを吸収して適用させることができる。加えて、縦方向Ｘについても太陽電池パネル６，６の設置間隔等に応じて変更調整することができ、極めて適用範囲の広いパネル固定装置１を提供することができる。さらに、その上に、比較的短尺物のパネル取付部材４を中間部材３やベース固定部材２に対し組み合わせてパネル固定装置１を構成しているため、いわゆるラックレス仕様とすることができ、太陽電池パネル６，６，…を屋根５に設置する場合に、屋根に対する全体荷重の軽量化を図ることができる。
【００２７】
＜他の実施形態＞
なお、本発明は前記実施形態に限定されるものではなく、その他種々の実施形態を包含するものである。すなわち、前記実施形態では、ラックレス仕様の例を示したが、パネル取付部材４を例えば太陽電池パネル６の横寸法Ｙｓの２倍相当又は３倍相当の長尺物にして、横ラックとして構成するようにしてもよい。例えば図７にはこのような横ラック仕様のパネル取付部材４ａを用いた場合の屋根５に対する固定例を示している。
【００２８】
前記実施形態では、パネル取付部材４の凸凹嵌合部４４と、中間部材３の凹凸嵌合部３３との高さ方向Ｚへの位置調整が２段階のものを示したが、これに限らず、凹凸の数を増やして３段，４段，あるいはそれ以上に高さ位置調整し得る高さ方向Ｚ寸法を増大させてもよい。
【００２９】
前記実施形態では、パネル取付部材４と中間部材３との相互間における凹凸嵌合による高さ方向Ｚの位置調整として、相対向する凹凸嵌合部３３，３３の間に両側外方に突出する凸凹嵌合部４４，４４を凹凸嵌合させるものを示したが、これに限らず、例えば図８（ａ）に示すように、凹凸嵌合の向きを逆にしてもよい。すなわち、両側外方に突出する凹凸嵌合部３３ａ，３３ａに対し、これを両側から相対向して挟み込むように突出する凸凹嵌合部４４ａ，４４ａで外嵌させるようにしてもよい。
【００３０】
又、前記実施形態では、パネル取付部材４と中間部材３との相互間における凹凸嵌合による高さ方向Ｚの位置調整として、それぞれ櫛歯状に突出する凹凸嵌合部３３，３３と、凸凹嵌合部４４，４４とを凹凸嵌合させるものを示したが、これに限らず、例えば図８（ｂ）に示すように、波形に突出する凹凸嵌合部３３ｂ，３３ｂと、凸凹嵌合部４４ｂ，４４ｂとを凹凸嵌合させるようにしてもよい。
【００３１】
前記実施形態では、縦方向Ｘに対しても位置調整可能とするために中間部材３をベース固定部材２に対し縦方向Ｘにスライド可能な構成を採用しているが、縦方向Ｘに対するスライド位置調整が不要であれば、中間部材３とベース固定部材２とを別部材にする必要はなく、互いに一体化させて屋根に固定するための固定部材に構成すればよい。
【００３２】
さらに、前記実施形態では、凹凸嵌合部３３と、凸凹嵌合部４４というように、双方共が高さ方向に複数段に並ぶ凹凸嵌合部を構成すると同時に、双方共が少なくとも１段の凸嵌合部を構成するという凹凸嵌合の例を示したが、最低限は、中間部材３及びパネル取付部材４のいずれか一方に高さ方向に複数段に並ぶ凹凸嵌合部（例えば複数段の嵌合溝）を形成し、他方にその凹凸嵌合部に嵌合する少なくとも１段の凸嵌合部（例えば嵌合凸部）を形成するだけでよい。
【符号の説明】
【００３３】
１        パネル固定装置
２        ベース固定部材
３        中間部材
４        パネル取付部材
５        屋根
６        太陽電池パネル（機能性パネル）
３３，３３ａ，３３ｂ  凹凸嵌合部（複数段の凹凸嵌合部，少なくとも１段の凸嵌合部）
４４，４４ａ，４４ｂ  凸凹嵌合部（少なくとも１段の凸嵌合部，複数段の凹凸嵌合部）
Ｘ        屋根の最大勾配線方向
Ｙ        屋根の水平方向
【図１】
2013136892.tif 000003
【図２】
2013136892.tif 000004
【図３】
2013136892.tif 000005
【図４】
2013136892.tif 000006
【図５】
2013136892.tif 000007
【図６】
2013136892.tif 000008
【図７】
2013136892.tif 000009
【図８】
2013136892.tif 000010